(57)【要約】【課題】ドア表面に接着固定するタイプのドアロック装置において、装置を取り外す必要が生じた場合に、極めて簡単な操作で、少ない力、時間をもって、ドア表面を傷つけることなく容易に装置を剥離させることが可能なドアロック装置を提供する。【解決手段】ドアの表面に接着されるベース板と、該ベース板上に装着されるドアロック装置本体とからなるドアロック装置において、ベース板に、ドア表面方向に向けて貫通し、螺合手段をドア表面方向に向けて螺合することにより、ベース板をドア表面から離す方向の螺合反力を付与可能なねじ孔を設けたことを特徴とするドアロック装置。【選択図】図１
2006274707.tif 000002
【特許請求の範囲】
【請求項１】
ドアの表面に接着されるベース板と、該ベース板上に装着されるドアロック装置本体とからなるドアロック装置において、前記ベース板に、ドア表面方向に向けて貫通し、螺合手段をドア表面方向に向けて螺合することにより、前記ベース板をドア表面から離す方向の螺合反力を付与可能なねじ孔を設けたことを特徴とするドアロック装置。
【請求項２】
前記ベース板が、そのドア側表面に、ドア表面との間に保護板挿入用空間を形成する凹部を有する、請求項１のドアロック装置。
【請求項３】
前記ねじ孔が複数設けられている、請求項１または２のドアロック装置。
【請求項４】
前記ねじ孔が、前記ベース板の前記ドアロック装置本体の装着部の範囲内に設けられている、請求項１〜３のいずれかに記載のドアロック装置。
【請求項５】
前記ねじ孔が、前記ベース板の前記ドアロック装置本体の装着部の範囲外に設けられている、請求項１〜３のいずれかに記載のドアロック装置。
【請求項６】
前記螺合手段が蝶ねじからなる、請求項１〜５のいずれかに記載のドアロック装置。
【請求項７】
前記ドアロック装置が、ドア開閉用電波信号を発信する発信器と、該発信器からの信号を受信し、ドアロック用シャフトをその軸方向に進退させる機構を備えた前記ドアロック装置本体と、前記シャフトが挿通されて係合されるロック穴を備えたストライカとを有する、請求項１〜６のいずれかに記載のドアロック装置。
【請求項８】
前記ロック穴が、前記ストライカに、互いに直交する２方向に延びる各穴として設けられている、請求項７のドアロック装置。
【請求項９】
前記ロック穴が、前記ストライカに、斜めに延びる長穴として設けられている、請求項７または８のドアロック装置。
【発明の詳細な説明】
【技術分野】
【０００１】
本発明は、ドアの表面に接着されるベース板と、該ベース板上に装着されるドアロック装置本体とを備えたドアロック装置に関し、とくにドア表面に接着されたベース板を容易に剥離させることができるようにしたドアロック装置に関する。
【背景技術】
【０００２】
例えば、電波によるリモコン操作によりドアのロック／ロック解除操作が可能なドアロック装置が知られているが、このようなドアロック装置は、通常、ドアの表面に接着されるベース板と、該ベース板上に装着されるドアロック装置本体とを備えた構造に構成されることが多い（もちろん、ベース板とドアロック装置本体とを一体化した構造も採り得る）。このようなドアロック装置として、例えば、ＦＭ等の電波を発信器から発信し、その信号を、受信手段を備えた、ドアの内側に取り付けられたドアロック装置本体で受信し、受信信号に応じてシャフトをその軸方向に移動させ、ドアフレーム側に取り付けられたストライカと上記シャフトとの係合／係合解除を行わしめ、それによってドアのロック／ロック解除操作を可能としたドアロック装置が知られている（例えば、特許文献１）。このようなドアロック装置によれば、ドアに鍵穴を設ける必要がなくなり、いわゆるピッキング等に対して有効な防犯処置を講じることができ、また、ドアの外側からの操作や遠隔操作が可能になるので、使用者にとって極めて便利な使い方が可能となる。
【０００３】
ところが、従来、このようなドアロック装置においては、両面テープ等を使用して上記ベース板をドアの表面に接着し、接着したベース板にドアロック装置本体を装着する構造を採用している。両面テープ等を使用した接着では、ベース板が極めて強固に接着されるので、ドアロック装置使用中は極めて好都合であるが、例えば借用者変更時やリフォーム時等、ドアロック装置を取り外したり交換したりする必要が生じた場合、接着が強固であるが故に、ベース板をドア表面から剥離することが困難な場合がある。例えば、ドライバーや他の治具、金具をベース板とドア表面の間に差し込んでベース板をドア表面から剥離させようとすると、ドア表面を傷つけることが多い。また、この方法では、力も時間も必要であり、実際に剥離の成功に至らない場合が多い。また、ピアノ線等を接着界面に沿ってしごきながら移動させ、ベース板とドア表面との間に間隙を形成していく方法も考えられるが、やはり、ドア表面を傷つけることなく剥離させることは困難であり、実際の操作が困難であり、力も時間も必要とし、実際に剥離の成功に至らない場合が多い。さらに、溶剤を用いて接着剤を溶かすことも考えられるが、ベース板がドア表面に密着されているため、溶剤を流入させることができる部分が限られ、実際には適用できない。
【特許文献１】韓国特許第２６３９８１号公報
【発明の開示】
【発明が解決しようとする課題】
【０００４】
そこで本発明の課題は、上記のようなドア表面に接着固定するタイプのドアロック装置において、装置を取り外す必要が生じた場合に、極めて簡単な操作で、少ない力、時間をもって、ドア表面を傷つけることなく容易に装置を剥離させることが可能なドアロック装置を提供することにある。
【課題を解決するための手段】
【０００５】
上記課題を解決するために、本発明に係るドアロック装置は、ドアの表面に接着されるベース板と、該ベース板上に装着されるドアロック装置本体とからなるドアロック装置において、前記ベース板に、ドア表面方向に向けて貫通し、螺合手段をドア表面方向に向けて螺合することにより、前記ベース板をドア表面から離す方向の螺合反力を付与可能なねじ孔を設けたことを特徴とするものからなる。
【０００６】
このドアロック装置においては、上記ベース板が、そのドア側表面に、ドア表面との間に保護板挿入用空間を形成する凹部を有することが好ましい。この空間に保護板を挿入した状態で、上記ねじ孔に螺合手段を螺合する場合、螺合手段の先端を保護板で受けることができるようになり、螺合手段の先端を直接ドア表面に当接させる場合に比べ、ドア表面の傷つきの可能性をより低減できる。
【０００７】
上記ねじ孔としては、単数も可能であるが、適切な位置に複数設けられていることが好ましい。複数のねじ孔に螺合手段を螺合し、同時にあるいは順に螺合手段の螺合を進めていくことにより、螺合反力をより均等にベース板に付与することができ、より少ない力で一層容易にベース板をドア表面から剥離させることができる。
【０００８】
上記ねじ孔は、ベース板のドアロック装置本体の装着部の範囲内に設けられている構造としてもよく、ドアロック装置本体の装着部の範囲外に設けられている構造としてもよい。装着部の範囲内に設けられている場合には、ドアロック装置本体を脱着してから螺合手段を螺合すればよく、範囲外に設けられている場合には、直接螺合手段を螺合することが可能になる。ベース板とドアロック装置本体が一体化されている場合には、後者の構造とすればよい。
【０００９】
上記螺合手段としては、代表的には蝶ねじを使用できる。ただしこれに限定されるものではなく、ねじ孔への螺合によりベース板にベース板をドア表面から離す方向の螺合反力を付与可能な手段でありさえすればよい。
【００１０】
ドアロック装置自体の構造としては、ドアの表面に接着されるベース板と、該ベース板上に装着されるドアロック装置本体とを備えたものであれば特に限定されないが、本発明は、とくに前述の如き電波によるリモコン操作によりドアのロック／ロック解除操作が可能なドアロック装置に好適なものである。例えば、ドアロック装置が、ドア開閉用電波信号を発信する発信器と、該発信器からの信号を受信し、ドアロック用シャフトをその軸方向に進退させる機構を備えた前記ドアロック装置本体と、前記シャフトが挿通されて係合されるロック穴を備えたストライカとを有する場合に、本発明はとくに好適なものである。
【００１１】
このような構造のドアロック装置においては、上記ロック穴は、上記ストライカに、互いに直交する２方向に延びる各穴として設けられている構造を採用することができる。
【００１２】
また、ロック穴が、ストライカに、斜めに延びる長穴として設けられている構造も採用することができる。
【００１３】
このような本発明に係るドアロック装置においては、ねじ孔に螺合手段を螺合し、その先端を直接的にあるいは保護板を介して間接的にドア表面に当接させ、ドア表面に対して、ベース板に螺合反力を付与することができる。この螺合反力は、ねじの原理あるいはてこの原理から、螺合手段の回転力は小さくても極めて大きな螺合反力を発揮させることができる。その結果、ベース板は極めて容易にドア表面から剥離される。ドライバーやピアノ線を用いる方法の場合のように、ドア表面をこじようとする力はまったく作用しないので、本質的にドア表面に傷つきは生じない。また、単に螺合手段を螺合していくだけの極めて簡単な操作で、その操作力も極めて小さくて済むことから、女性でも容易にベース板をドア表面から剥離させることができる。剥離後には、ドア表面に多少接着剤が残るかもしれないが、ベース板が完全に除去されているから、溶剤等で簡単に残っている接着剤を除去できる。
【発明の効果】
【００１４】
本発明に係るドアロック装置によれば、ドア表面を傷つけることなく、ドア表面に接着されていたベース板を極めて容易に剥離できるようになり、その労力、時間も極めて少なくて済む。したがって、電波によるリモコン操作によりドアのロック／ロック解除操作を可能としたドアロック装置であって、ドア表面への部材接着が必要なドアロック装置に対しても、それを除去したり交換したりすることが要求される場合の不都合の発生のおそれを完全に除去することができ、この種のドアロック装置のより広範な普及に貢献することができる。
【発明を実施するための最良の形態】
【００１５】
以下に、本発明の望ましい実施の形態を、図面を参照しながら説明する。
図１は、本発明の一実施態様に係るドアロック装置１００を示している。本実施態様では、図２に示すように、ドアロック装置１００は、ドア表面に接着されるベース板１と、ドア開閉用電波信号を発信する発信器３と、ベース板１上に装着され、発信器３からの信号を受信し、ドアロック用シャフト５をその軸方向に進退させる機構を備えたドアロック装置本体２と、シャフト５が挿通されて係合されるロック穴６を備えたストライカ４とを備えたものに構成されている。ドアロック装置本体２は、例えば、スライド方式にてベース板１上に装着、脱着される。
【００１６】
図１において、ベース板１は、両面テープ等の接着剤２１により、ドア２２の表面２３に接着される。このベース板１上に、上記ドアロック装置本体２が装着され、ドアロック装置本体２は必要に応じてベース板１から脱着できるようになっている。ベース板１には、本実施態様ではドアロック装置本体２の装着部の範囲内に、ドア表面２３方向に向けて貫通するねじ孔２４が設けられている。ねじ孔２４は、本実施態様では、ベース板１の長手方向両側に２個づつ合計４個設けられているが、数は任意に設定でき、中央部にさらにねじ孔を設けたり、ねじ孔の数を減らしたりすることも可能である。
【００１７】
上記各ねじ孔２４には、ベース板１の剥離時に、螺合手段、代表的には図示のような蝶ねじ２５が螺合される。各ねじ孔２４に蝶ねじ２５を螺合し、蝶ねじ２５を回転させて螺合を進めていくと、蝶ねじ２５の先端がドア表面２３に当接し、さらに螺合を進めていくと、蝶ねじ２５の軸方向に螺合反力が作用し、その螺合反力が蝶ねじ２５を介してベース板１へと伝達され、それがベース板１をドア表面２３から離す方向の力としてベース板１に付与されることになる。
【００１８】
ベース板１の長手方向の片側に位置する２個の蝶ねじ２５の螺合を進めていくと、その片側からベース板１が剥離され、両側に位置する２個の蝶ねじ２５の螺合を順に徐々に進めていくと、ベース板１は実質的に全体にわたってドア表面２３から剥離されていく。この操作は、ねじの原理あるいはてこの原理により、小さな蝶ねじ２５の回転力で大きな剥離力が得られるので、女性でも極めて容易に行うことができる。ドア表面２３に対してはこじるような力は作用しないから、本質的にドア表面２３を傷つけることもない。
【００１９】
また、本実施態様では、ベース板１のドア側表面に、ドア表面２３との間に保護板挿入用空間２６を形成する凹部２７が設けられている。この凹部２７を設ける位置は、上記ねじ孔２４の位置と対応している。この空間２６に、例えば図示のような平板状の保護板２８が挿入されると、上記蝶ねじ２５の先端は、この保護板２８に当接することになり、蝶ねじ２５を回転させて螺合を進めていくと、蝶ねじ２５の回転によるベース板１のドア表面２３からの剥離力は、保護板２８を介して伝達されていくことになる。この場合、蝶ねじ２５の先端が直接ドア表面２３に当接することはなくなるので、ドア表面２３の傷つきは完全に防止される。
【００２０】
なお、上記実施態様では、各ねじ孔２４はベース板１のドアロック装置本体２の装着部の範囲内に設けたが、ドアロック装置本体２の装着部の範囲外に設けることもできる。例えば、ベース板１に外側への張出部を形成しておき、そこにねじ孔を設けることもできる。この場合には、ドアロック装置本体２を脱着しなくても、ドアロック装置本体２とベース板１を一体的にドア表面２３から剥離させて取り外すことが可能になる。もともとドアロック装置本体２とベース板１とが一体的に構成されている場合には、このようにねじ孔を設ければよい。
【００２１】
ベース板１をドア表面２３から剥離させた後には、ドア表面２３上に接着剤２１の一部が残るかもしれないが、ベース板１が完全に除去された状態にあるから、残った接着剤は容易に溶剤等により除去できる。
【００２２】
ドアロック装置１００自体の構造は、上記実施態様では次のように構成されている。図２に示すように、発信器３は、電池（図示略）を内蔵しており、ＦＭ等のロック／ロック解除操作用の電波を発信できるようになっており、発信器３と、その信号を受信するドアロック装置本体２との間では、チューニングされ、固有の発信器３以外からの信号では動作しないように、その固有の発信器３が本体装置２内の回路に登録されている。これら発信器３の構造や、ドアロック装置本体２における固有の発信器３の登録構成は、とくに限定されるものではなく、いずれの周知の技術も使用できる。この発信器３は、防水構造に構成されていることが好ましい。
【００２３】
発信器３から発信されたロック／ロック解除操作用の電波は、ドアロック装置本体２に付設されたアンテナ７で受信され、受信信号は、ドアロック装置本体２内に組み込まれた回路８に送られる。回路８では、例えば、登録用操作孔９に細棒を突っ込む等の操作により事前登録された、固有の発信器３からの信号か否かが判定され、固有の発信器３からの信号である場合には、それを本ドアロック装置１００におけるロック／ロック解除操作用の指令信号と判定する。この指令信号に基づき、シャフト５の駆動機構に作動信号を発する。シャフト５の駆動機構としては、シャフト５をその軸方向に進退作動させることができるものであれば、特に限定されない。本実施態様では、シャフト５の駆動源として、モータ１０が用いられており、モータ１０の出力軸の回転動作を、その出力軸に取り付けられたピニオン１１と、シャフト５の軸方向中央部に形成されたラック１２との係合機構を介して、シャフト５の軸方向の進退動作に変換できるようになっている。モータ１０は、可逆回転モータであってもよく、一方向に駆動力を出力するモータであってもよく、後者の場合には、モータによる移動方向と逆方向にシャフト５を移動させるときには、バネ等を用いてその弾性復元力を利用するようにすればよい。いずれの場合にも、シャフト５を両方向に移動制御できることになる。なお、図２における１３は、ドアロック装置本体２の電池収納部を示しており、収納された電池（図示略）により、上記回路８やモータ１０に必要な電力が供給されるようになっている。ただし、この電池に対しては、充電方式を採用することもできる。
【００２４】
上記ドアロック装置本体２から進出されてきたシャフト５がストライカ４のロック穴６に挿入されることによりドアがロック状態とされ、その状態から、シャフト５がドアロック装置本体２へと引っ込められることにより、ドアのロックが解除される。このストライカ４は、例えばドアフレーム（図示略）側に取り付け、固定される。ストライカ４のドアロック装置本体２に対する相対取り付け位置関係は、上記のシャフト５のロック穴６への進退がスムーズに行われる位置関係に調整、設定される。
【００２５】
本実施態様では、例えば図３の（Ａ）（正面図）、（Ｂ）（平面図）にも示すように、ストライカ４のロック穴６として、互いに直交する２方向に延びる各穴６ａ、６ｂが設けられている。互いに直交する２方向に延びる各ロック穴６ａ、６ｂを設けておくことにより、ストライカ４のドアロック装置本体２に対する取り付け姿勢としては、シャフト５がロック穴６ａに挿通される方向の姿勢とすることもでき、ロック穴６ｂに挿通される方向の姿勢とすることもできる。したがって、ストライカ４の取り付け姿勢の自由度が大幅に向上される。その結果、例えばいずれかの一方の取り付け姿勢が採りずらい場合には他方の取り付け姿勢を採用すればよく、また、取り付け位置に何らかの制約がある場合にも、その制約を緩和できる、あるいは制約を無関係とすることのできる取り付け姿勢を採用すればよい。これによって、ストライカ４の取り付け、ひいてはドアロック装置１全体の取り付けが大幅に容易化される。なお、ストライカ４に対しては、取り付け穴３１が設けられており、この取り付け穴３１に対しても、ポップリベット等を用いて固定する構造にて図示してあるが、このストライカ４に対しても、前述のベース板１と同様の接着および接着剥離構造を採用することが可能である。
【００２６】
なお、ロック穴６ａ、６ｂについては、シャフト５の挿入口側に面取り３２、３３が施されていることが好ましい。面取り３２、３３部分は、直線状の斜面に形成してもよく、丸みをつけたＲ形状に形成してもよい。面取り３２、３３を設けておくことにより、シャフト５が、穴入口部で引っ掛かることなく、容易に出し入れできるようになる。
【００２７】
ストライカに設けられるロック穴に関しては、例えば図４や図５に示すような構造を採用することもできる。すなわち、ストライカ４１（図４）、ストライカ４２（図５）に、ロック穴として、斜めに延びる長穴４３、４４を設けた構造である。このように斜めに延びる長穴からなるロック穴４３、４４とすることにより、例えばストライカ取り付け位置とドアロック装置本体２取り付け位置間に段差があり、ロック穴が単なる円形断面穴ではドアロック装置本体２からのシャフト進退位置に対して該円形断面穴を所定位置に合わせられないか、合わせずらい場合、図４ではストライカ４１をＣ方向に移動させることによりロック穴４３のシャフト受け入れ位置をＤ方向に容易に位置調整でき、図５ではストライカ４２をＥ方向に移動させることによりロック穴４４のシャフト受け入れ位置をＦ方向に容易に位置調整できるようになる。
【００２８】
また、図４に示した斜めに延びる長穴からなるロック穴４３と図５に示した斜めに延びる長穴からなるロック穴４４を共に有する構造とすれば、図３に示した実施態様同様、ストライカの取り付け姿勢を適宜選択できるようになり、しかも同時にシャフト受け入れ位置をＤ方向やＦ方向に容易に位置調整できるようになる。
【００２９】
なお、図４、図５における４５、４６はストライカのドアフレーム等への取り付け穴を示している。これら取り付け穴４５、４６に対しても、必要に応じて、前記同様、ポップリベット等を採用することが可能である。また、取り付け穴なしで、前述のベース板１と同様の接着および接着剥離構造を採用することも可能である。
【図面の簡単な説明】
【００３０】
【図１】本発明の一実施態様に係るドアロック装置のベース板のドア表面からの剥離構造を示す概略斜視図である。
【図２】本発明の一実施態様に係るドアロック装置の概略全体平面図である。
【図３】図１のドアロック装置のストライカの正面図（Ａ）および平面図（Ｂ）である。
【図４】本発明の別の実施態様に係るドアロック装置のストライカの正面図である。
【図５】本発明のさらに別の実施態様に係るドアロック装置のストライカの平面図である。
【符号の説明】
【００３１】
１  ベース板
２  ドアロック装置本体
３  発信器
４  ストライカ
５  シャフト
６、６ａ、６ｂ  ロック穴
７  アンテナ
８  回路
９  登録用操作孔
１０  モータ
１１  ピニオン
１２  ラック
１３  電池収納部
２１  接着剤
２２  ドア
２３  ドア表面
２４  ねじ孔
２５  螺合手段としての蝶ねじ
２６  保護板挿入用空間
２７  凹部
２８  保護板
３１  ストライカの取り付け穴
３２、３３  面取り部
４１、４２  ストライカ
４３、４４  長穴からなるロック穴
４５、４６  ストライカの取り付け穴
１００  ドアロック装置
【図１】
2006274707.tif 000003
【図２】
2006274707.tif 000004
【図３】
2006274707.tif 000005
【図４】
2006274707.tif 000006
【図５】
2006274707.tif 000007